(57)【要約】【課題】互いに組み合わせ不可能な機能をユーザが選択した場合であっても、ユーザは、利便性が損なわれることなく、他の機能を容易に指定し直すことができる画像形成装置の提供。【解決手段】画像形成装置１は、複数の機能を有し、画像形成処理を行う画像形成装置１であって、タッチパネル５ａ及び制御部４４を備える。タッチパネル５ａは、複数の機能から第１機能及び第２機能の指定を受け付ける。制御部４４は、第１機能と第２機能とが組み合わせ可能か否かを判断する。そしてタッチパネル５ａは、第１機能と第２機能とが組み合わせ不可能であると制御部４４が判断した場合、複数の機能から第１機能と第２機能とを除く残りの機能のうち第１機能との組み合わせが可能な少なくとも１つの代替機能と、第１機能と少なくとも１つの代替機能とを組み合わせて画像形成処理が行われた場合の仕上がり画像とを表示する。【選択図】図７
2008256799.tif 000002
【特許請求の範囲】
【請求項１】
複数の機能を有し、前記機能を用いて画像形成処理を行う画像形成装置であって、
複数の前記機能から第１機能及び第２機能の指定を受け付ける機能指定受付部と、
前記第１機能と前記第２機能とが組み合わせ可能か否かを判断する判断部と、
前記第１機能と前記第２機能とが組み合わせ不可能であると前記判断部が判断した場合、複数の前記機能から前記第１機能と前記第２機能とを除く残りの前記機能のうち前記第１機能との組み合わせが可能な少なくとも１つの代替機能と、前記第１機能と少なくとも１つの前記代替機能とを組み合わせて前記画像形成処理が行われた場合の仕上がり画像と、を表示する表示部と、
を備える画像形成装置。
【請求項２】
前記表示部は、
２以上の前記代替機能それぞれを選択可能に表示し、
選択された前記代替機能と前記第１機能とを組み合わせて前記画像形成処理が行われた場合の前記仕上がり画像を、選択された前記代替機能毎に表示する、
請求項１に記載の画像形成装置。
【請求項３】
前記表示部は、前記第１機能と前記第２機能とが組み合わせ不可能であると前記判断部が判断した場合、この旨を示すメッセージを更に表示する、
請求項１または２に記載の画像形成装置。
【請求項４】
前記表示部は、優先して実現させるべき優先機能を指定可能に表示し、
前記機能指定受付部は、指定された前記優先機能を前記第１機能として受け付ける、
請求項１〜３のいずれかに記載の画像形成装置。
【発明の詳細な説明】
【技術分野】
【０００１】
本発明は、複数の機能を有し、これらの機能を用いて画像形成処理を行う画像形成装置に関する。
【背景技術】
【０００２】
近年の画像形成装置は、多くの機能を有している。画像形成装置が有する機能としては、縮小コピーや拡大コピーを行うズームコピー機能や、用紙の両面に画像形成処理を行う両面コピー機能などが挙げられる。このような機能により、ユーザは、原稿を所望の状態にコピーすることができる。
【０００３】
しかし、画像形成装置が有する機能が多くなると、機能の内容や種類によっては組み合わせて設定することができない機能も多くなる。例えば、複数枚の原稿を用紙１枚に集約させる集約機能が選択された場合、原稿の集約を行いながら複数枚の原稿の画像を重ね合わせてコピーすることはできないため、ユーザは、集約機能と画像の重ね合わせ機能（イメージ画面機能）とを共に設定することはできない。
【０００４】
そこで、特許文献１では、特定の機能を設定後、この機能と同時に設定可能な機能を選択できる状態で表示し、同時に設定不可能な機能を選択できない状態で表示することで、ユーザに組み合わせることができない機能を知らせる画像形成装置が開示されている。
【０００５】
また、上記に関連する技術としては、特許文献２及び特許文献３に示すものがある。
【特許文献１】特開平９−９８２７８号公報
【特許文献２】特開２０００−２６７５０９号公報
【特許文献３】特開２００４−１１２６３６号公報
【発明の開示】
【発明が解決しようとする課題】
【０００６】
しかしながら、特許文献１の画像形成装置では、ユーザは、選択できる状態に表示されている機能しか選択することができないため、ユーザの利便性が損なわれてしまう。
【０００７】
ところで、ユーザが指定した複数の機能が互いに組み合わせ不可能である場合には、その旨を示すメッセージをユーザに表示すると共に、それらの機能を用いて画像形成が行われないようにする画像形成装置がある。しかし、このような画像形成装置では、ユーザは、設定した機能が組み合わせ不可能である旨は理解できるが、他にどのような機能を組み合わせることができるのかを知ることができない。
【０００８】
そこで、本発明は、互いに組み合わせ不可能な機能をユーザが選択した場合であっても、ユーザは、利便性が損なわれることなく、他の機能を容易に指定し直すことができる画像形成装置の提供を目的とする。
【課題を解決するための手段】
【０００９】
発明１に係る画像形成装置は、複数の機能を有し、機能を用いて画像形成処理を行う画像形成装置であって、機能指定受付部と、判断部と、表示部とを備える。機能指定受付部は、複数の機能から第１機能及び第２機能の指定を受け付ける。判断部では、第１機能と第２機能とが組み合わせ可能か否かを判断する。表示部は、第１機能と第２機能とが組み合わせ不可能であると判断部が判断した場合、複数の機能から第１機能と第２機能とを除く残りの機能のうち第１機能との組み合わせが可能な少なくとも１つの代替機能と、第１機能と少なくとも１つの代替機能とを組み合わせて画像形成処理が行われた場合の仕上がり画像とを表示する。
【００１０】
この画像形成装置によると、ユーザが第１機能を指定し、更に第１機能と組み合わせ不可能な第２機能を指定した場合、表示部には、第１機能と組み合わせ可能で第２機能の代替となる代替機能が表示され、更にその代替機能と第１機能とを用いて画像形成処理を行った場合の仕上がり画像が表示される。これにより、第１機能と第２機能とが組み合わせ不可能である場合、ユーザは、第１機能と代替機能とを用いた場合の仕上がり画像を視覚的に確認しながら、第２機能の代わりに用いたい代替機能を指定することができる。従って、ユーザの利便性が向上する。
【００１１】
発明２に係る画像形成装置は、発明１に係る画像形成装置であって、表示部は、２以上の代替機能それぞれを選択可能に表示する。そして、表示部は、選択された代替機能と第１機能とを組み合わせて画像形成処理が行われた場合の仕上がり画像を、選択された代替機能毎に表示する。
【００１２】
この画像形成装置によると、代替機能が選択されるたびに、表示部に表示される仕上がり画像が変わる。従って、ユーザは、代替機能を選択するたびに表示部に表示される仕上がり画像に基づいて、第１機能とどの代替機能とを用いて画像形成処理を行うかを決めることができる。従って、ユーザの利便性がより向上する。
【００１３】
発明３に係る画像形成装置は、発明１または２に係る画像形成装置であって、表示部は、第１機能と第２機能とが組み合わせ不可能であると判断部が判断した場合、この旨を示すメッセージを更に表示する。
【００１４】
これにより、ユーザは、表示部を通じて第１機能と第２機能とが組み合わせ不可能であることを知ることができる。
【００１５】
発明４に係る画像形成装置は、発明１〜３のいずれかに係る画像形成装置であって、表示部は、優先して実現させるべき優先機能を指定可能に表示する。そして、機能指定受付部は、指定された優先機能を第１機能として受け付ける。
【００１６】
この画像形成装置によると、ユーザが優先させて実現させたい優先機能を選択し、次いで第２機能を選択した際に、選択された優先機能と第２機能との組み合わせが不可能な場合、表示部には、優先機能と組み合わせることができる代替機能が表示される。従って、ユーザは、優先機能を優先的に実現させることができるような代替機能を選択することができる。
【発明の効果】
【００１７】
本発明によると、互いに組み合わせ不可能な機能をユーザが選択した場合であっても、ユーザは、他の機能を容易に指定し直すことができるため、ユーザの利便性が向上する。
【発明を実施するための最良の形態】
【００１８】
（１）画像形成装置の構成
図１は、本発明の実施形態に係る画像形成装置１の外観図である。この画像形成装置１は、複写機、プリンタ、ファクシミリ装置及びスキャナ装置としての機能を併せ持つ複合機の機種であって、集約機能や両面コピー機能等の複数の機能を有している。
【００１９】
図１の画像形成装置１は、原稿カバー３、本体部４、操作パネル５、給紙カセット６及び排出トレイ７を備えている。
【００２０】
原稿カバー３と対向する本体部４の部分には、原稿載置台２が設けられている。原稿カバー３は、原稿載置台２上に載置された原稿を押さえるためのものであって、原稿載置台２に対して開閉自在に本体部４に装着されている。
【００２１】
本体部４は、図２に示すように、通信部４１、原稿読み取り部４２、画像形成部４３及び制御部４４（判断部に相当）を含む。
【００２２】
通信部４１は、通信ネットワークを介して接続されたＰＣ等の外部装置と通信を行うものであって、外部装置から画像データ等を取得することができる。
【００２３】
原稿読み取り部４２は、原稿載置台２に載置された原稿を読み取って画像データを取得するためのものであって、図示しない光学系を有している。
【００２４】
画像形成部４３は、通信部４１や原稿読み取り部４２から取得された画像データに基づいてトナー像を形成する。特に、画像形成部４３は、画像形成装置１が有している複数の機能のうち、ユーザにより操作パネル５を介して各種機能が設定された場合には、設定された機能を用いて画像形成処理を行う。尚、画像形成部４３により形成されたトナー像は、転写装置（図示せず）により用紙に転写された後、定着装置（図示せず）により定着される。
【００２５】
制御部４４は、通信部４１、原稿読み取り部４２、画像形成部４３、原稿カバー３及び操作パネル５と接続されており、接続された各機能部の制御等を行う。尚、制御部４４については、「（２）制御部の構成」で詳述する。
【００２６】
操作パネル５は、図１に示すように、本体部４において原稿載置台２の手前側部分に設けられ、タッチパネル５ａ（機能指定受付部及び表示部に相当）と操作キー５ｂとを有している。タッチパネル５ａは、例えば液晶ディスプレイで構成されており、各種画面を表示する。ユーザは、このようなタッチパネル５ａに直接触れることで、例えば画像形成装置１が有する複数の機能から所望の機能の指定を行うことができる。操作キー５ｂは、印刷ジョブの開始を指示するためのスタートキーや、コピー、プリンタ、スキャナ及びＦＡＸの機能を設定するための設定キー及びテンキー等を有している。
【００２７】
給紙カセット６は、用紙を収納可能であって、図１に示すように本体部４の下方に３段設けられている。
【００２８】
排出トレイ７は、本体部４の側面に側方に突出するように設けられており、画像形成処理が行われた用紙が積載される。
【００２９】
（２）制御部の構成
図３は、本実施形態に係る制御部４４の機能構成図である。制御部４４は、図３に示すように、ＲＯＭ５１、ＲＡＭ５２及びＣＰＵ５３を含む。
【００３０】
〔ＲＯＭ〕
ＲＯＭ５１は、ＣＰＵ５３により読み出されて実行されるプログラム等を記憶している。具体的には、ＲＯＭ５１は、組み合わせ判断プログラム５１ａ、操作パネル制御プログラム５１ｂ、画像形成制御プログラム５１ｃ及び組み合わせ情報テーブル５１ｄを記憶している。
【００３１】
組み合わせ判断プログラム５１ａは、操作パネル５を介して画像形成装置１が有する複数の機能の中から任意の機能が指定された場合、ＣＰＵ５３が、指定された機能同士の組み合わせが可能か否かを判断する際に用いられるプログラムである。尚、以下では、説明の便宜上、指定された機能を第１機能及び第２機能という。
【００３２】
操作パネル制御プログラム５１ｂは、ＣＰＵ５３が、操作パネル５を制御する際に用いられるプログラムである。
【００３３】
画像形成制御プログラム５１ｃは、ＣＰＵ５３が、本体部４内の原稿読み取り部４２や画像形成部４３等に、操作パネル５により指定された機能を実行させるためのプログラムである。
【００３４】
組み合わせ情報テーブル５１ｄは、ＣＰＵ５３が、組み合わせ判断プログラム５１ａに基づいて第１機能と第２機能との組み合わせを判断する際の判断基準として用いられる。図４は、ＲＯＭ５１が記憶している組み合わせ情報テーブル５１ｄの概念を説明するための図である。図４の組み合わせ情報テーブル５１ｄは、画像形成装置１が搭載している各機能間の組み合わせが可能か不可能かを示している。尚、図４中では、組み合わせ可能なものを“○”、組み合わせ不可能なものを“×”として表している。例えば、図４の組み合わせ情報テーブル５１ｄでは、集約機能と用紙にページ番号を付すページ付け機能とは組み合わせが可能であることを示しており、集約機能とイメージ合成機能とは組み合わせが不可能であることを示している。
【００３５】
〔ＲＡＭ〕
ＲＡＭ５２は、ＣＰＵ５３がプログラムの実行及び演算を行う場合の、ワークメモリとして機能する。
【００３６】
〔ＣＰＵ〕
ＣＰＵ５３は、ＲＯＭ５１内の各種プログラムを読み出して実行する。例えば、画像形成装置１が“機能Ａ”“機能Ｂ”“機能Ｃ”“機能Ｄ”を搭載しているとし、タッチパネル５ａを介して “機能Ａ（即ち第１機能）”と“機能Ｂ（即ち第２機能）”とが指定された場合について説明する。この場合、ＣＰＵ５３は、ＲＯＭ５１内の組み合わせ判断プログラム５１ａ及び組み合わせ情報テーブル５１ｄに基づいて、指定された機能Ａと機能Ｂとが組み合わせ可能か否かを判断する。そして、機能Ａと機能Ｂとが組み合わせ不可能である場合には、ＣＰＵ５３は、更にＲＯＭ５１内の組み合わせ判断プログラム５１ａに基づいて、機能Ａ及び機能Ｂを除く残りの機能“機能Ｃ”“機能Ｄ”のうち機能Ａと組み合わせ可能な機能があるか否かを判断する。機能Ｃ及び機能Ｄが共に機能Ａと組み合わせ可能であれば、ＣＰＵ５３は、機能Ｃ及び機能Ｄを機能Ｂの代替機能とし、更に機能Ｃと機能Ａまたは機能Ｄと機能Ａとを組み合わせて画像形成処理が行われた場合の仕上がり画像をそれぞれ予測する。その後、ＣＰＵ５３は、操作パネル制御プログラム５１ｂに基づいて、代替機能と仕上がり画像とをタッチパネル５ａに表示させるように制御する。ここで、代替機能が２以上ある場合、タッチパネル５ａには、２以上の代替機能が選択可能に表示されると共に、選択された代替機能と機能Ａとの組み合わせによる仕上がり画像が表示される。
【００３７】
また、ＣＰＵ５３は、操作パネル制御プログラム５１ｂに基づいて、ユーザが優先して実現させたいと所望する優先機能が指定可能なように、タッチパネル５ａに表示させる。そして、タッチパネル５ａを介して優先機能が指定された場合には、ＣＰＵ５３は、指定された優先機能を第１機能として受け付ける。即ち、ＣＰＵ５３は、組み合わせ判断プログラム５１ａに基づいて、指定された優先機能と他に指定された機能との組み合わせを判断し、これらの組み合わせが不可能である場合には、操作パネル制御プログラム５１ｂに基づいて、指定された優先機能と組み合わせることが可能な機能を代替機能としてタッチパネル５ａに表示させる。
【００３８】
尚、ＣＰＵ５３は、ユーザによる機能の設定が完了すると、画像形成制御プログラム５１ｃに基づいて、設定された機能を用いて画像形成処理が行われるように、原稿読み取り部４２や画像形成部４３等を制御する。
【００３９】
（３）動作
次に、本実施形態に係る画像形成装置１がユーザにより用いられた場合の動作について、図５〜９を用いて説明する。尚、以下では、説明を簡単にするため、制御部４４内のＣＰＵ５３が行う動作については、単に制御部４４が行うとして記載する。
【００４０】
画像形成装置１の操作パネル５上からコピー機能が選択された場合、操作パネル５のタッチパネル５ａには、図５に示す通常画面が表示される。図５の画面では、機能リストを表示させるための機能リストボタン７１が選択可能な状態、即ちアクティブな状態で表示されている。この機能リストボタン７１が押下されると、タッチパネル５ａには、機能リストを含む画面（図６）が表示される。
【００４１】
図６の画面には、機能リスト６１と優先機能リスト６２とが含まれている。機能リスト６１においては、画像形成装置１が有する各機能を指定するためのボタン７２ａ〜７２ｉが、それぞれアクティブな状態で表示されており、優先機能リスト６２においては、ユーザが優先して実現させたい優先機能を指定するためのボタン７３ａ〜７３ｆがそれぞれアクティブな状態で表示されている。ユーザは、機能リスト６１または優先機能リスト６２におけるボタン７２ａ〜７２ｉ，７３ａ〜７３ｆの中から、所望の機能に対応するボタンを選択して押すことができる。
【００４２】
ここで、図６に示すように、機能リスト６１の中から、“原稿サイズ混載”ボタン７２ｇと“ステイプル”ボタン７２ｉとが押された場合について説明する。尚、“原稿サイズ混載”ボタン７２ｇは、各種のサイズが混載している複数の原稿についてコピーを行う原稿サイズ混載機能（即ち第１機能）を指定するためのボタン６１ｅであって、“ステイプル”ボタン７２ｉは、コピーされた複数枚の原稿を綴るステイプル機能（即ち第２機能）を指定するためのボタンである。
【００４３】
すると、制御部４４は、組み合わせ情報テーブル５１ｄに基づいて、原稿サイズ混載機能とステイプル機能との組み合わせを判断する。組み合わせ情報テーブル５１ｄによると、原稿サイズ混載機能とステイプル機能とは組み合わせ不可能であるため、制御部４４は、組み合わせ情報テーブル５１ｄの中から原稿サイズ混載機能と組み合わせることができる代替機能として用紙選択機能とページ付け機能とを抽出し、原稿サイズ混載機能とステイプル機能とが組み合わせ不可能である旨を示すメッセージと抽出した２つの代替機能とをタッチパネル５ａに表示させる。更に、制御部４４は、各代替機能と原稿サイズ混載機能とを組み合わせて画像形成処理が行われた場合の仕上がり画像をタッチパネル５ａに表示させる。これにより、タッチパネル５ａには、図７に示す画面が表示される。
【００４４】
図７の画面には、原稿サイズ混載機能とステイプル機能との組み合わせ結果を示すメッセージ６３と、代替機能リスト６５と、仕上がり画像６４とが含まれている。ここで、代替機能リスト６５においては、原稿サイズ混載機能と組み合わせ可能な代替機能ボタン７４ａ，７４ｂがそれぞれアクティブな状態で表示されている。ユーザは、代替機能リスト６５におけるボタン７４ａ，７４ｂの中から、ステイプル機能に変えて、原稿サイズ混載機能と組み合わせて用いたい機能のボタンを選択して押すことができる。また、図７の仕上がり画像は、ユーザが代替機能リスト６５内のボタン７４ａ，７４ｂを選択する度に、選択された代替機能と原稿サイズ混載機能とを用いた場合の仕上がり画像６４が表示される。即ち、制御部４４は、ユーザにより押されたボタン７４ａ，７４ｂが切り替わる動作に伴い、タッチパネル５ａに表示する仕上がり画像を動的に切り換える。ここで、図７の仕上がり画像６４は、ページ付け機能のボタン７４ｂが押された場合に表示される画像である。
【００４５】
尚、図７の画面には、個別指定ボタン７５が更に含まれている。個別指定ボタン７５は、ユーザが代替機能リスト６５の中から機能を選択せずに、画像形成装置１が有する機能の中から所望する機能を再度選択するためのボタンである。従って、この個別指定ボタン７５が押された場合には、制御部４４は、タッチパネル５ａに図６の画面が再度表示されるように制御する。これにより、タッチパネル５ａには、再度図６の画面が表示され、上述したような機能の設定動作が再度行われる。
【００４６】
このようにして、組み合わせ可能な機能の設定が完了し、ユーザにより操作キー５ｂ上のスタートボタンを押されると、画像形成装置１の画像形成部４３は、設定された各機能を用いて画像形成処理を行う。
【００４７】
（４）効果
この画像形成装置１によると、ユーザが第１機能を指定し、更に第１機能と組み合わせ不可能な第２機能を指定した場合、タッチパネル５ａには、第１機能と組み合わせ可能で第２機能の代替となる代替機能が表示され、更にその代替機能と第１機能とを用いて画像形成処理を行った場合の仕上がり画像が表示される。これにより、第１機能と第２機能とが組み合わせ不可能である場合、ユーザは、第１機能と代替機能とを用いた場合の仕上がり画像を視覚的に確認しながら、第２機能の代わりに用いたい代替機能を指定することができる。従って、ユーザの利便性が向上する。
【００４８】
また、この画像形成装置１によると、代替機能が選択されるたびに、タッチパネル５ａに表示される仕上がり画像が変わる。従って、ユーザは、代替機能を選択するたびに表示部に表示される仕上がり画像に基づいて、第１機能とどの代替機能とを用いて画像形成処理を行うかを決めることができる。従って、ユーザの利便性がより向上する。
【００４９】
更に、第１機能と第２機能とが組み合わせ不可能である場合、画像形成装置１のタッチパネル５ａには、この旨を示すメッセージが更に表示される。これにより、ユーザは、表示部を通じて第１機能と第２機能とが組み合わせ不可能であることを知ることができる。
【００５０】
＜その他の実施形態＞
（ａ）上記実施形態の「（３）動作」では、図６の画面において、優先機能リスト６２の中から機能が選択されるのではなく、機能リスト６１の中から機能が選択された場合について記載したが、ここでは、優先機能リスト６２の中から機能が選択された場合について、図８及び９を用いて説明する。尚、画像形成装置の構成については、上記実施形態と同様であるため、説明を省略する。
【００５１】
図８に示すように、優先機能リスト６２の中から“ステイプル”ボタン７３ｅが押され、更に機能リスト６１の中から“パンチ”ボタン７２ｆが押された場合について説明する。尚、“パンチ”ボタン７２ｆは、コピーされた複数枚の原稿に孔を開けるパンチ機能（即ち第２機能）を指定するためのボタンである。
【００５２】
すると、制御部４４は、優先機能リスト６２の中から指定されたステイプル機能を“第１機能”として制御を行う。即ち、組み合わせ情報テーブル５１ｄによると、ステイプル機能とパンチ機能とは組み合わせ不可能であるため、制御部４４は、組み合わせ情報テーブル５１ｄの中からステイプル機能と組み合わせることができる代替機能を抽出する。そして、制御部４４は、図９に示すように、ステイプル機能とパンチ機能とが組み合わせ不可能である旨を示すメッセージ６３と、抽出した代替機能のリスト６５と、各代替機能とステイプル機能とを組み合わせて画像形成処理が行われた場合の仕上がり画像６４とをタッチパネル５ａに表示させる。
【００５３】
これにより、ユーザは、図９の代替機能リスト６５の中から、パンチ機能に変えて、ステイプル機能と組み合わせて用いたい機能のボタン７４ａ〜７４ｃを押すことができる。また、図９の仕上がり画像は、図７と同様、ユーザが代替機能リスト６５内のボタン７４ａ〜７４ｃを選択する度に、選択された代替機能とステイプル機能とを用いた場合の仕上がり画像６４が表示される。ここで、図９の仕上がり画像６４は、集約機能のボタン７４ａが指定された場合に表示される画像である。
【００５４】
この画像形成装置１によると、ユーザが優先させて実現させたい優先機能を選択し、次いで第２機能を選択した際に、選択された優先機能と第２機能との組み合わせが不可能な場合、タッチパネル５ａには、優先機能と組み合わせることができる代替機能が表示される。従って、ユーザは、優先機能を優先的に実現させることができるような代替機能を選択することができる。
【００５５】
（ｂ）上記実施形態では、第１及び第２機能がタッチパネル５ａ上から直接選択される場合について説明したが、第１及び第２機能は、操作パネル５の操作キー５ｂを用いて選択されてもよい。
【００５６】
（ｃ）上記実施形態では、図６の機能リストの中から複数の機能が選択された場合、図７の代替機能リストには、後に選択された機能の代替となる機能が表示される場合について記載したが、これに限定されない。タッチパネル５ａには、先に選択された機能の代替となる機能が表示されてもよい。この場合、タッチパネル５ａには、後に選択された機能と代替機能とを組み合わせて画像形成処理が行われた場合の仕上がり画像が表示される。
【産業上の利用可能性】
【００５７】
本発明に係る画像形成装置は、複写機、プリンタ及びファクシミリ装置の各機種や、これらの機能に更にスキャナ機能を併せ持つ複合機において適用できる。
【図面の簡単な説明】
【００５８】
【図１】本実施形態に係る画像形成装置の外観図。
【図２】本実施形態に係る画像形成装置の構成を模式的に示すブロック図。
【図３】本実施形態に係る画像形成装置における制御部４４の機能構成図。
【図４】本実施形態に係るＲＯＭが記憶している組み合わせ情報テーブルの概念説明図。
【図５】本実施形態に係る操作パネルのタッチパネルに表示される通常画面例。
【図６】図５において機能リストボタンが押された場合にタッチパネルに表示される画面例。
【図７】図６において機能が選択された後にタッチパネルに表示される画面例。
【図８】その他の実施形態（ａ）において、機能リストボタンが押された場合にタッチパネルに表示される画面例。
【図９】図８において機能が選択された後にタッチパネルに表示される画面例。
【符号の説明】
【００５９】
１  画像形成装置
５  操作パネル
５ａ  タッチパネル
５ｂ  操作キー
４２  原稿読み取り部
４３  画像形成部
４４  制御部
５１  ＲＯＭ
５１ａ  組み合わせ判断プログラム
５１ｂ  操作パネル制御プログラム
５１ｃ  画像形成制御プログラム
５１ｄ  組み合わせ情報テーブル
５２  ＲＡＭ
５３  ＣＰＵ
６１  機能リスト
６２  優先機能リスト
６３  メッセージ
６４  仕上がり画像
６５  代替機能リスト
７２ａ〜７２ｉ，７３ａ〜７３ｆ，７４ａ〜７４ｂ  機能ボタン
【図１】
2008256799.tif 000003
【図２】
2008256799.tif 000004
【図３】
2008256799.tif 000005
【図４】
2008256799.tif 000006
【図５】
2008256799.tif 000007
【図６】
2008256799.tif 000008
【図７】
2008256799.tif 000009
【図８】
2008256799.tif 000010
【図９】
2008256799.tif 000011